(57)【要約】【課題】  閉扉状態においても解錠符号の探索作業が可能であるほか、構造簡単かつ操作が容易で、しかも解錠符号を確実に目視できるダイヤル符号錠装置を提供すること。【解決手段】  使用者が解錠符号を任意に変換することができ、かつ管理者が解錠符号を探索することができるダイヤル錠装置において、ダイヤルリング１０と作動軸１１との中間に設けるクラッチ１５について、解錠状態にある位置のクラッチ１５の外周面に探索用の表示２２を設け、かつ表示２２の正面付近には表側から表示２２の目視に適応する表出部２３を開設し、更に表出部２３には操作部３に対する非常鍵による操作に関連して解除されまたは解除が可能となる遮蔽手段を設けたことを主要特徴とする。【選択図】図１
2009293361.tif 000002
【特許請求の範囲】
【請求項１】
ロッカー等の扉に取り付けて、ダイヤル錠部における操作部に対する操作により、掛止片を駆動してロッカー本体の固定受部に係脱するようにし、かつダイヤルリングにより解錠符号を設定した後に、操作部に対する操作により施錠するほか、解錠に際してはダイヤルリングを解錠符号に復元して操作部を解錠方向に操作することにより掛止片を固定受部から離脱するようにし、更に操作部にはシリンダ錠機構とこのシリンダ錠機構用の非常鍵挿入のための鍵孔を設け、ダイヤルリングによる解錠符号の復元とは無関係に非常鍵により解錠することができるようにした型式のダイヤル錠装置であって、ダイヤルリング（１０）と作動軸（１１）との中間に設けるクラッチ（１５）が解錠状態にある位置のクラッチ（１５）の外周面に探索用の表示（２２）を設けると共に、表示（２２）の正面付近には表側から表示（２２）の目視に適応する表出部（２３）を開設し、かつ表出部（２３）には操作部（３）に対する非常鍵による操作に関連して解除されまたは解除が可能となる遮蔽手段を設けたことを特徴とするダイヤル錠装置。
【請求項２】
遮蔽手段として、各クラッチ（１５）における表示（２２）の前面を覆うことができるシャッタ板（２４ａ）と一側端縁に設けた被制部（２４ｂ）とを有するシャッタ（２４）をケース（５）のフロントカバー（５ｂ）の背面部において進退可能に設けると共に、シャッタ（２４）の開放を必要に応じ阻止する制止機構（２５）を設け、解錠符号の探索時に限り制止機構（２５）による進退阻止状態を解除するようにした請求項１に記載のダイヤル錠装置。
【請求項３】
シャッタ（２４）の適宜位置に、フロントカバー（５ｂ）の表部に突出する状態に摘み（２４ｃ）を設けて、シャッタ（２４）を外部から手動操作できるようにした請求項２に記載のダイヤル錠装置。
【請求項４】
色彩を施した表示（２２）を採択した請求項１ないし請求項３に記載のいずれか１のダイヤル錠装置。
【請求項５】
操作部（３）に近い軸受部材（１７）をシフトドラム（１３）のカム面により後退させた場合、各クラッチ（１５）と各ダイヤルリング（１０）とが係合するように構成し、かつ軸受部材（１７）にはクラッチ（１５）に隣接する一側の端部に受動鍔部（３２）を設けると共に、この受動鍔部（３２）の後部には傾斜受面（３２ａ）を形成し、かつ別に受動鍔部（３２）に近く軸受部材（１７）の軸線とほぼ直交する軸受（３３）を設けるほか、この軸受（３３）には背部の押しボタン（３４ａ）と先端の傾斜押圧面（３４ｂ）とがある切換用作動体（３４）を、その傾斜押圧面（３４ｂ）が受動鍔部（３２）の傾斜受面（３２ａ）に対応する状態のもとに進退可能に設け、これにより切換用作動体（３４）の進出動または後退動に基づいて軸受部材（１７）および各クラッチ（１５）を後退または進出させ、解錠符号の変換が不可能な符号固定型と解錠符号の変換が可能な符号変換型との切換えができるようにした請求項１ないし請求項４に記載のいずれか１のダイヤル錠装置。
【発明の詳細な説明】
【技術分野】
【０００１】  本発明は、不特定多数の使用者が利用するロッカー等に装備するダイヤル錠装置に関するものであり、特に使用者が解錠符号を任意に変換することができるほか、管理者はその解錠符号を容易に探索することができるようにしたダイヤル錠装置に関するものである。
【背景技術】
【０００２】  ダイヤル錠を装備するロッカー等は、利用者による鍵の紛失の虞がない関係上、レジャー施設その他において広く使用されているが、特に利用者が解錠符号（解錠番号）を任意に変換することができる符号変換型の従来のダイヤル錠においては、利用者が設定した解錠符号を記憶している場合は、解錠に不都合は生じないが、その設定した解錠符号を忘れた場合あるいは記憶違いをした場合に解錠できないという欠点がある。【０００３】  上記欠点を解消するため、管理者による非常鍵の使用により解錠可能に構成し、解錠符号を探索して設定を解除することができるようにした構成のダイヤル錠装置が知られている。（特許文献１）【０００４】
【特許文献１】  特開２００７−２１７８６７公報
【発明の開示】
【発明が解決しようとする課題】
【０００５】  しかしながら、前記特許文献１に記載のダイヤル錠装置においては、管理者により解錠符号を探索する場合、非常鍵を使用して扉を開放した状態のもとに、表部に露出しているダイヤルリングを操作しつつ、裏側に設けられているスリットから解錠符号に対応している印を順次確認して、設定時の解錠符号に揃えることによりこれを知得するようにしている。【０００６】  上記解錠符号の探索に当っては、非常鍵の使用により扉を開放した状態のもとに、表部においてダイヤルリングを回動操作しつつ、裏側の狭小なスリットから奥まった位置の小さな印を視認するのであるから、操作が煩瑣で非能率的であるばかでなく、確認が著しく不確実となる欠点がある。【０００７】  そこで本発明の目的は、閉扉状態においても解錠符号の探索作業が可能なダイヤル錠装置を提供することにあり、また他の目的は、構造簡単かつ操作が容易で、しかも解錠符号を確実に目視できるダイヤル錠装置を提供することにある。更に他の目的は、簡単な構造のもとに、符号固定型と符号変換型との切換えが可能なダイヤル錠装置を提供することにある。
【課題を解決するための手段】
【０００８】  上記目的を達成するため、請求項１の発明は、ロッカー等の扉に取り付けて、ダイヤル錠部における操作部に対する操作により、掛止片を駆動してロッカー本体の固定受部に係脱すると共に、ダイヤルリングにより解錠符号を設定した後に、操作部を操作して施錠するほか、解錠に際してはダイヤルリングを解錠符号に復元して操作部を解錠方向に操作することにより掛止片を固定受部から離脱するようにし、更に操作部にはシリンダ錠機構とこのシリンダ錠機構用の非常鍵挿入のための鍵孔を設け、ダイヤルリングによる解錠符号の復元とは無関係に非常鍵により解錠することができるようにした型式のダイヤル錠装置において、ダイヤルリング１０と作動軸１１との中間に設けるクラッチ１５が解錠状態にある位置のクラッチ１５の外周面に探索用の表示２２を設けると共に、表示２２の正面付近には表側から表示２２の目視に適応する表出部２３を開設し、かつ表出部２３には操作部３に対する非常鍵による操作に関連して解除されまたは解除が可能となる遮蔽手段を設けたことを特徴とするダイヤル錠装置である。【０００９】  請求項２の発明は、遮蔽手段として、各クラッチ１５における表示２２の前面を覆うことができるシャッタ板２４ａと一側端縁に設けた被制部２４ｂとを有するシャッタ２４をケース５のフロントカバー５ｂの背面部において進退可能に設けると共に、シャッタ２４の開放を必要に応じ阻止する制止機構２５を設け、解錠符号の探索時に限り制止機構２５による進退阻止状態を解除するようにした請求項１に記載のダイヤル錠装置である。【００１０】  請求項３の発明は、シャッタ２４の適宜位置に、フロントカバー５ｂの表部に突出する状態に摘み２４ｃを設けて、シャッタ２４を外部から手動操作できるようにした請求項２に記載のダイヤル錠装置であり、また請求項４の発明は、色彩を施した表示２２を採択した請求項１ないし請求項３に記載のいずれか１のダイヤル錠装置である。【００１１】  請求項５の発明は、操作部３に近い軸受部材１７をシフトドラム１３のカム面により後退させた場合、各クラッチ１５と各ダイヤルリング１０とが係合するように構成し、かつ軸受部材１７にはクラッチ１５に隣接する一側の端部に受動鍔部３２を設けると共に、この受動鍔部３２の後部には傾斜受面３２ａを形成し、かつ別に受動鍔部３２に近く軸受部材１７の軸線とほぼ直交する軸受３３を設けるほか、この軸受３３には背部の押しボタン３４ａと先端の傾斜押圧面３４ｂとがある切換用作動体３４を、その傾斜押圧面３４ｂが受動鍔部３２の傾斜受面３２ａに対応する状態のもとに進退可能に設け、これにより切換用作動体３４の進出動または後退動に基づいて軸受部材１７および各クラッチ１５を後退または進出させ、解錠符号の変換が不可能な符号固定型と解錠符号の変換が可能な符号変換型との切換えができるようにした請求項１ないし請求項４に記載のいずれか１のダイヤル錠装置である。
【発明の効果】
【００１２】  請求項１の発明によれば、ダイヤルリング１０と作動軸１１との中間に設けるクラッチ１５が解錠状態にある位置のクラッチ１５の外周面に探索用の表示２２を設けると共に、表側に表示２２の目視に適応する表出部２３を開設し、かつ表出部２３には操作部３に対する非常鍵による操作に関連して解除されまたは解除が可能となる遮蔽手段を設けたから、閉扉状態においても探索作業が可能であるばかりでなく、操作が容易で、しかも解錠符号を確実に目視できる効果がある。【００１３】  請求項２の発明によれば、遮蔽手段として、表示２２の前面を覆うことができるシャッタ２４をケース５のフロントカバー５ｂの背面部において進退可能に設けると共に、シャッタ２４の開放を必要に応じ阻止する制止機構２５を設け、解錠符号の探索時に限り制止機構２５による進退阻止状態を解除するようにしたから、比較的簡単な構造のもとに、操作性に優れ、確実な解錠符号の探索ができる効果がある。【００１４】  請求項３の発明によれば、シャッタ２４の適宜位置に、フロントカバー５ｂの表部に突出する状態に摘み２４ｃを設けて、シャッタ２４を外部から手動操作できるようにしたから、複雑な連動機構によることなく、シャッタ２４の開閉を容易に行うことができる。また、請求項４の発明によれば、色彩を施した表示２２を採択したことにより、外部からの目視が容易であり、確実な解錠符号の探索ができる効果がある。【００１５】  請求項５の発明によれば、クラッチ１５に隣接する軸受部材１７の一側の端部に受動鍔部３２を設けると共に、この受動鍔部３２を押しボタン３４ａ付の切換用作動体３４により、軸受部材１７および各クラッチ１５を後退または進出させることができるように構成したから、著しく簡単な切換機構により、解錠符号の変換が不可能な符号固定型と解錠符号の変換が可能な符号変換型との転換を容易に行うことができる効果がある。
【発明を実施するための最良の形態】
【００１６】  以下、本発明を添付図に例示する錠装置の一実施形態について説明するが、本発明の適用対象としてのダイヤル錠装置としては、例えば図１ないし図４に示す型式を採択する。【００１７】  図１ないし図４に示すダイヤル錠装置は、大体において、右半部に手掛部１と左半部にダイヤル錠部２を設けたほぼ直方体箱状を呈し、ロッカーＬ等の扉Ｄに取り付けて、ダイヤル錠部２における操作部３に対する回動操作に伴い、掛止片４を正逆旋回させてロッカーＬの本体における固定受部Ｓに係脱するようにする。ダイヤル錠部２は、手掛付主ケース５ａとフロントカバー５ｂとからなるケース５のフロントカバー５ｂ側の半部に装着し、フロントカバー５ｂの上端寄り表部に形成した開口６から操作部３を突設してこの操作部３の後端に前記掛止片４を連結するほか、操作部３の前端には手指による回動に適応する摘み７を設け、この摘み７の一定角度範囲の旋回動により施錠および解錠操作をするようにする。摘み７には非常鍵を挿入するための鍵孔８を設けるほか、操作部３の内部にシリンダ錠機構を設け、利用者が設定した解錠符号を忘れた場合に、管理者により非常鍵を使用して解錠することができるようにする。フロントカバー５ｂには４個の通孔９を列設して、内方に回転自在に配設する４個のダイヤルリング１０の一部を露出させて手指による回動操作のもとに、外周面に設けた０〜９等の符号を選択することができるようにし、ダイヤルリング１０の回動操作による解錠符号の設定および復元により施錠および解錠するようにする。なお図示を省略しているが、ダイヤルリング１０の符号が安定的に正面を向くことができるように、ダイヤルリング１０側の切欠とこの切欠に係入するばね片とからなる位置決め構造を付設する。【００１８】  ダイヤルリング１０の内周一側端部寄りにクラッチ歯１０ａを設けると共に、内方には作動軸１１を全数のダイヤルリング１０と同一軸線関係のもとに、後述の２個の軸受部材により回転不能に支承したまま、軸線方向に適度に摺動が許容される状態に設け、かつ作動軸１１の後端部にはコイルばね１２を付設してこのコイルばね１２の付勢により前端部をシリンダ錠機構におけるシフトドラム１３のカム面に常時圧接する進出傾向に保つようにする。作動軸１１の外周にはキー片１４を突設し、かつ別に一側端寄りの外周と内周とにそれぞれダイヤルリング１０のクラッチ歯１０ａに対応するクラッチ歯１５ａと作動軸１１のキー片１４に対応するキー溝１５ｂとがあるほか、キー片１４の係合を回避するための逃げ部１６がある４個の短筒状のクラッチ１５を前記作動軸１１の外周に摺動可能に緩嵌する。【００１９】  作動軸１１はこれを主ケース５ａにおけるシリンダ錠機構寄りに軸線方向に適度に摺動可能で回転不能に設けられた前方の軸受部材１７と、後端寄りに固設された軸受部材１８とにより支承し、軸受部材１８と作動軸１１とはスプライン状態に緩嵌する。作動軸１１の後端寄り部分には鍔付ブッシュ１９を緩嵌して軸受部材１８との間にコイルばね２０を介設し、このコイルばね２０により各クラッチ１５をダイヤルリング１０との係合が離脱する方向に付勢し、かつ軸受部材１８と作動軸１１の段部との間に前記コイルばね１２を介設���る。軸受部材１７は全クラッチ１５を介してコイルばね２０によりシリンダ錠機構におけるシフトドラム１３のカム面に常時圧接する傾向に保つ。【００２０】  シフトドラム１３のカム面には、図５に示すように、ほぼ台形の谷部２１ａ，２１ｂを９０度の角度間隔のもとに形成し、同図（ｂ）のように谷部２１ａが作動軸１１および軸受部材１７に対接する状態において、作動軸１１および軸受部材１７をコイルばね１２およびコイルばね２０による各別な付勢により谷部２１ａに進出させ、これにより各クラッチ１５におけるクラッチ歯１５ａと各ダイヤルリング１０におけるクラッチ歯１０ａとは離脱し、全てのダイヤルリング１０は回転が自由となり、解錠符号を設定することができる。解錠符号を設定した後、摘み７に対する操作のもとにシフトドラム１３を反時計方向に９０度旋回させることにより、図５（ａ）のように、掛止片４をロッカーＬの固定受部Ｓに係合させると共に、軸受部材１７を谷部２１ｂに係合させることなく、作動軸１１だけを谷部２１ｂに進出係合させ、これにより各クラッチ１５を各ダイヤルリング１０に係合させると同時に、各クラッチ１５のキー溝１５ｂを作動軸１１におけるキー片１４から離脱させるようにする。その後ダイヤルリング１０をクラッチ１５と係合した状態のもとに任意に回転させて符号列を乱して施錠が完了する。この状態でキー片１４といずれかのダイヤルリング１０のキー溝１５ｂとは符合していない。【００２１】  解錠に際しては、ダイヤルリング１０を設定時の施錠符号に復元することにより、作動軸１１におけるキー片１４とクラッチ１５におけるキー溝１５ｂとを合致させた状態のもとに、摘み７に対する操作により作動軸１１を後退させつつシフトドラム１３を時計方向に９０度旋回させ、これに伴い掛止片４をロッカーＬの本体における固定受部Ｓから旋回離脱させて解錠することができる。【００２２】  また、符号列を忘れた場合等の非常時に際し、管理人等により非常鍵を使用して解錠することができるように構成しており、即ち、摘み７に設けた鍵孔８に非常鍵を挿入してシリンダ錠機構におけるタンブラによるシフトドラム１３の係合を解除した状態のもとに、シフトドラム１３に関係なく掛止片４を旋回して解錠することができるようにする。【００２３】  上記構成は、従来のこの種のダイヤル錠装置における構成と性質的に大差はない。上記構成に対する本発明の特殊構成としては、クラッチ１５の一側端寄りの延長筒部の外周面にキー溝１５ｂに対応した位置に符号探索用の表示２２を設けるのであって、即ち作動軸１１におけるキー片１４とダイヤルリング１０におけるキー溝１５ｂとが合致した状態におけるクラッチ１５の前面位置に、目立つ表示例えば赤色蓄光塗料等による表示２２を設けると共に、ケース５におけるフロントカバー５ｂには表示２２の正面付近に切欠きによる表出部２３を開設し、ダイヤルリング１０を回転させつつ表出部２３を透して表側から表示２２を目視し、表出部２３に表示２２が現れた位置がキー片１４とキー溝１５ｂとが合致した状態で、ダイヤルリング１０に示される符号が設定されていた解錠符号であり、このように解錠符号を順次探索して解錠符号列を知得することができる。なお��示２２については、浅い窪みを削成してその窪みに塗装を施し、あるいは窪みに蓄光シートまたは反射シートを貼付するのが望ましい。【００２４】  上記表出部２３は符号列を忘れた場合等の非常時に際してのみ管理人等により探索するのであるから、非常時以外に解錠符号が表出されないようにする必要があり、このための手段としては、表示２２と表出部２３との間にスライド可能な開閉自在のシャッタ２４を常時遮蔽状態に設けると共に、シャッタ２４の開放を阻止する制止機構２５を設け、かつ前記摘み７には駆動腕２６を突設し、この駆動腕２６による制止解除動作により制止機構２５を無効にしてシャッタ２４の開放を許容するようにする。【００２５】  シャッタ２４としては、各クラッチ１５における表示２２の前面を覆うシャッタ板２４ａを前記各ダイヤルリング１０に隣接する状態のもとにホーク状に設けると共に、一側端縁に被制部２４ｂを設けるほか、適宜位置に前方に突出する摘み２４ｃを設けた板状に形成し、このシャッタ２４を主ケース５ａとフロントカバー５ｂとに挟持される状態もとに、ケース５のフロントカバー５ｂの背面部に沿って左右方向にスライド可能に設け、かつ摘み２４ｃはフロントカバー５ｂに形成した長孔２７から表部に貫通突出させてシャッタ２４を外部から手動により左右方向にスライドさせて開閉することができるようにする。【００２６】  制止機構２５としては、シャッタ２４の遮蔽状態における被制部２４ｂに対応してシャッタ２４のスライドを阻止する制止腕２８ａと、受動腕２８ｂと、位置規制片２８ｃとがあるほぼＬ字状の中継腕２８をピン２９により揺動可能に枢止すると共に、制止腕２８ａにはコイルばね３０を付設してこのコイルばね３０の付勢により制止腕２８ａが常時仰起する傾向に保って、シャッタ２４における被制部２４ｂに退動阻止状態を保持するようにする。即ちシャッタ２４が右方へスライドできないストッパの作用をする。また受動腕２８ｂと前記駆動腕２６との中間部には、駆動腕２６に対応して駆動腕２６の旋回範域に延びる受動片３１ａと中継腕２８における受動腕２８ｂの端部に対接する駆動片３１ｂとがあるＬ字板状の中継駒３１を、主ケース５ａとフロントカバー５ｂとに挟持される状態のもとに、ケース５のフロントカバー５ｂの背面部に沿って上下方向にスライド可能に設ける。【００２７】  制止機構２５によるシャッタ２４の退動阻止時においては、中継腕２８の制止腕２８ａが図２および図６（ｂ）のようにシャッタ２４における被制部２４ｂに対接する状態に僅かに仰起してシャッタ２４の右方へのスライドが阻止されており、各シャッタ板２４ａは表示２２と表出部２３との間に進出した状態に保持され、表示２２はシャッタ板２４ａに遮蔽されて目視することはできない。【００２８】  解錠符号の探索に当っては、施錠状態において、即ち図５（ａ）および図６（ａ）のように、作動軸１１は上方へ進出してその先端がシフトドラム１３の谷部２１ｂに係合したまま、各クラッチ１５は下方へ後退してダイヤルリング１０と係合しており、この状態のもとに、図７のように、摘み７の鍵孔８に非常鍵を挿入して時計方向に９０度プラス４５度回転させることにより、シフトドラム１３を回転させること���く、掛止片４を固定受部Ｓから離脱させ、かつ摘み７に設けた駆動腕２６により中継駒３１における受動片３１ａを押動すると共に、駆動片３１ｂにより中継腕２８における受動腕２８ｂの端部および他側の制止腕２８ａをコイルばね３０に抗して俯伏させて制止腕２８ａをシャッタ２４の被制部２４ｂから退避させ、これによりシャッタ２４に対する拘束を解除してシャッタ２４の右方へのスライドを許容するようにし、その後摘み２４ｃに対する操作によりシャッタ２４を右方へスライドさせ、シャッタ板２４ａによる遮蔽を解除して表出部２３から内方の表示２２の目視が可能になる。そしてダイヤルリング１０は図５（ａ）のようにクラッチ１５と係合したまま回転が自由であるから、各ダイヤルリング１０の符号を順次にずらしつつ表出部２３に表示２２が現れた時のダイヤルリング１０の符号が解錠符号であり、一連の表示２２が揃った状態が解錠符号列である。【００２９】  設定していた解錠符号が確認できたならば、シャッタ２４を左方へスライドして表示２２をシャッタ板２４ａにより遮蔽すると共に、摘み７を４５度反時計方向に回転すると、中継駒３１の受動片３１ａに対する駆動腕２６による押圧が解除され、コイルばね３０により中継腕２８並びに中継駒３１は復元し、シャッタ２４による遮蔽が確保される。その後、非常鍵を挿入したまま摘み７を反時計方向に９０度回転すると、ダイヤルリング１０に解錠符号が示された施錠状態となる。【００３０】  前記摘み７における駆動腕２６とシャッタ２４との中間に設ける制止機構２５については、図示の中継腕２８および中継駒３１等による構造に限ることなく、他の構造を採択できること当然である。また、シャッタ２４のスライドを手動によることなく、中継腕２８に連動して強制的にスライドするように構成してもよいのである。【００３１】  前記クラッチ１５に隣接する軸受部材１７の一側の端面には少なくとも左右両側に受動鍔部３２を設けると共に、受動鍔部３２の後端縁には斜め上向きの傾斜受面３２ａを形成し、これに対し、軸受部材１７付近から背部にわたり軸受部材１７の軸線とほぼ直交する前後方向の案内用軸受３３を主ケース５ａに設けると共に、この軸受３３には、背部に押しボタン３４があるほか、先端寄り部が二股に形成され、二股の先端に受動鍔部押圧用の傾斜押圧面３４ｂが斜め下向きに形成された切換え用作動体３４を前後方向に進退可能に設け、図５（ｂ）および図８（ｂ）のように、作動体３４を後方に引き出した後退状態においては、二股の先端部は受動鍔部３２から離反するから、軸受部材１７はシフトドラム１３のカム面の対応位置に規制されて進退し、必要に応じてダイヤルリング１０の自由回転が可能であり、従って解錠符号の変換が可能な自由変換型として機能する。【００３２】  図５（ａ）および図８（ａ）のように、押しボタン３４ａを押し込むと、その押し込む過程において先端の傾斜押圧面３４ｂが傾斜受面３２ａを押圧し、受動鍔部３２をコイルばね２０に抗して下方へ押動し、これによりクラッチ１５とダイヤルリング１０とが係合してその係合関係が継続され、ダイヤルリング１０の自由回転が阻止されるから、解錠符号の変換が不可能となる関係上、符号固定型として機��させることができ、なお、必要に応じ押しボタン３４ａを引き出すと、解錠符号の変換が可能な自由変換型として機能させることができる。【００３３】  中継腕２８における制止腕２８ａに対向するフロントカバー５ｂの裏面には、図２のように制止腕２８ａが適度に進入する凹部３５を形成して、シャッタ２４の被制部２４ｂへの対接を確実にするのが望ましい。また摘み７における駆動腕２の回転角度の範囲規制については、図示しないが駆動腕２６に対応した範域にストッパを設けるのがよい。
【図面の簡単な説明】
【００３４】
【図１】  本発明の一実施形態における施錠状態のダイヤル錠装置の正面図である。
【図２】  図１のダイヤル錠装置の横断平面図である。
【図３】  図１のダイヤル錠装置の縦断側面図である。
【図４】  図１のダイヤル錠装置における軸受部材，クラッチ，ダイヤルリングの斜面図である。
【図５】  図１のダイヤル錠装置の作用説明図であり、（ａ）は施錠状態で、（ｂ）は解錠状態を示す。
【図６】  図１のダイヤル錠装置のフロントカバーを外した状態の要部の正面図および側面図である。
【図７】  解錠符号探索時のシャッタの開放状態を示す図６に対応した要部の正面図および側面図である。
【図８】  切換え作用の説明図である。
【符号の説明】
【００３５】１      手掛部
２      ダイヤル錠部
３      操作部
４      掛止片
５      ケース
５ａ    手掛付主ケース
５ｂ    フロントカバー
６      開口
７      摘み
８      鍵孔
９      通孔
１０    ダイヤルリング
１０ａ  クラッチ歯
１１    作動軸
１２    コイルばね
１３    シフトドラム
１４    キー片
１５    クラッチ
１５ａ  クラッチ歯
１５ｂ  キー溝
１６    逃げ部
１７    軸受部材
１８    軸受部材
１９    鍔付ブッシュ
２０    コイルばね
２１ａ  谷部
２１ｂ  谷部
２２    表示
２３    表出部
２４    シャッタ
２４ａ  シャッタ板
２４ｂ  被制部
２４ｃ  摘み
２５    制止機構
２６    駆動腕
２７    長孔
２８    中継腕
２８ａ  制止腕
２８ｂ  受動腕
２８ｃ  位置規制片
２９    ピン
３０    コイルばね
３１    中継駒
３１ａ  受動片
３１ｂ  駆動片
３２    受動鍔部
３２ａ  傾斜受面
３３    軸受
３４    作動体
３４ａ  押しボタン
３４ｂ  傾斜押圧面
３５    凹部
Ｌ      ロッカー
Ｄ      扉
Ｓ      固定受部
【図１】
2009293361.tif 000003
【図２】
2009293361.tif 000004
【図３】
2009293361.tif 000005
【図４】
2009293361.tif 000006
【図５】
2009293361.tif 000007
【図６】
2009293361.tif 000008
【図７】
2009293361.tif 000009
【図８】
2009293361.tif 000010